(57)【要約】【課題】４ミリテープと８ミリテープを選択的に使用可能なストリーマ装置において、８ミリテープへのトラックパターンの精度の向上を図り、装置間のコンパチビリティを改善することを目的とする。【解決手段】回転ドラム装置４０の下側の固定ドラム４１は周面にリード４３は、上流側の約９０度に亘る部分に対応する第１のリード部４３ａと、第１のリード部４３ａの終端４３ａ１より延びている第２のリード部４３ｂとよりなる。第１のリード部４３ａの回転ヘッドの回転面対する傾斜角度は、トラックの傾斜角θに対応する角度θである。第２のリード部４３ｂの傾斜角度は角度θより少し小さい角度βである。第１のリード部４３ａが４ミリテープ１４の下側縁１４ａを案内する。第１のリード部４３ａの開始部４３ａ２と、第２のリード部４３ｂの終端部４３ｂ１とが、８ミリテープ２４の下側縁２４ａを案内する。８ミリテープ２４は開始部４３ａ２より若干浮いた状態とされ、８ミリテープ２４には、トラックがトラック傾斜角θでもって形成される。【選択図】図１
2007323722.tif 000002
【特許請求の範囲】
【請求項１】
第１の磁気テープが収納してある第１のテープカセットと前記第１の磁気テープより幅の広い第２の磁気テープが収納してある第２のテープカセットとが選択的に装着されるように構成してあり、
下側の固定ドラムと上側の回転ドラムとよりなり、該固定ドラムは周面にリードが形成してある構成であり、該回転ドラムは回転ヘッドを有する構成である回転ドラム装置を備え、
前記第１のテープカセットが装着された場合には、前記第１のテープカセットから第１の磁気テープを引き出して上記回転ドラム装置に第１の巻き付け角度に亘って巻き付けて第１のテープパスを形成し、前記第２のテープカセットが装着された場合には、前記第２のテープカセットから第２の磁気テープを引き出して上記回転ドラム装置に前記第１の巻き付け角度より広い第２の巻き付け角度に亘って巻き付けて第２のテープパスを形成するローデング機構を備えた構成の磁気テープ記録再生装置において、
前記回転ドラム装置は、前記固定ドラムの周面のリードが、前記第１の巻き付け角度に対応する部分に位置する第１のリード部と、該第１のリード部に続いて前記第２の巻き付け角度のうち前記第１の巻き付け角度を越える部分に形成してある第２のリード部とよりなり、
該第２のリード部のリード角が、該第１のリード部のリード角と相違する構成としたことを特徴とする磁気テープ記録再生装置。
【請求項２】
請求項１に記載の磁気テープ記録再生装置において、
前記リードは、前記第２のリード部のリード角が、前記第１のリード部のリード角より小さい構成であり、
前記第１の磁気テープの下縁部が前記第１のリード部に案内され、前記第２の磁気テープの下縁部が前記第１のリード部の始端部と前記第２のリード部の終端部とに案内される構成としたことを特徴とする磁気テープ記録再生装置。
【請求項３】
請求項１に記載の磁気テープ記録再生装置において、
前記リードは、前記第２のリード部のリード角が、前記第１のリード部のリード角より大きい構成であり、
前記第１の磁気テープの下縁部が前記第１のリード部に案内され、前記第２の磁気テープの下縁部が前記前記第２のリード部に案内される構成としたことを特徴とする磁気テープ記録再生装置。
【発明の詳細な説明】
【技術分野】
【０００１】
本発明は磁気テープ記録再生装置に係り、特に、回転ドラム及びテープローディング機構を備えてなりテープカセットを利用してコンピュータの外部記憶装置として用いられる磁気テープ記録再生装置であって、テープ幅がＷ１である磁気テープが収まっている第１のテープカセットに加えて、テープ幅が上記のＷ１と異なる幅（例えばＷ１の約二倍）であるＷ２の磁気テープが収まっている第２のテープカセットが選択的に装着可能である磁気テープ記録再生装置に関する。
【背景技術】
【０００２】
コンピュータの外部記憶装置として用いられるストリーマ装置の一つに、ＶＴＲと同じく回転ドラム及びテープローディング機構を備えてなり、テープカセットを利用したストリーマ装置が商品化されている。
【０００３】
現在、ストリーマ装置の記憶容量は、圧縮モードで、例えば７２ギガバイトと多い。しかし、市場には、記憶容量を増大の要求があり、これに対応するべく、各メーカはストリーマ装置の改良を進めている。
【０００４】
記憶容量を増大する一つの方法として、現行のテープカセットの磁気テープのテープ幅よりも広いテープ幅の磁気テープが収容された新しいテープカセットを使用できるようにする方法がある。
【０００５】
ここで、現行ストリーマ装置が依然として使用され、現行ストリーマ装置で情報が記録された現行テープカセットが多く存在していることを考慮すると、新型テープカセットが使用できるようにした新型ストリーマ装置は、現行ストリーマ装置との互換性が確保されることが必要であり、現行テープカセットが使用可能であり、しかも、現行ストリーマ装置で記録した現行テープカセットを正常に再生可能であることが要求される。本出願人は先に、上記の要求を満たしたストリーマ装置を出願した。特開２００６−１０７５４０号公報に、このストリーマ装置が記載してある。
【０００６】
このストリーマ装置は、テープカセット装着機構と、回転ドラム装置と、テープローディング機構とを備えた構成である。テープカセット装着機構は、幅Ｗ１が４ｍｍの磁気テープ１４（以下、４ミリテープという）が収納してある第１のテープカセット１０（以下、４ミリテープカセットという）と、幅Ｗ２が８ｍｍの磁気テープ２４（以下、８ミリテープという）が収納してある第２のテープカセット２０（以下、８ミリテープカセットという）とが選択的に装着されるように構成してある（図２参照）。
【０００７】
回転ドラム装置２００は、図１１（Ａ）、（Ｂ）に示すように、下側の固定ドラム２０１と上側の回転ドラム２０２とよりなり、固定ドラムは周面にリード２０３が形成してある構成であり、回転ドラム１２は回転ヘッドを有する構成である。回転ドラム１２の回転方向は、矢印２０５で示す方向、上方向から見て反時計方向である。リード２０３は、展開して示す図１１（Ｃ）に示すように、純粋な螺旋形状であり、約１８０度程度に亘っており、リード角はθである。リード角とは、回転ヘッドの回転面（回転ドラム装置の中心線に対して垂直な面）に対するリード２０３の傾斜角をいう。
【０００８】
テープローディング機構は、４ミリテープカセットが装着された場合には、４ミリテープカセットから４ミリテープを引き出して、図１１（Ａ）、（Ｂ）に示すように、４ミリテープ１４をリード２０３に沿わせて回転ドラム装置２００にＳからＥ１まで角度α１（約９０度）に亘って斜めに巻き付けて第１のテープパス２１０を形成する。
【０００９】
テープローディング機構は、８ミリテープカセットが装着された場合には、８ミリテープカセットから８ミリテープを引き出して、図１２（Ａ）、（Ｂ）に示すように、８ミリテープ２４をリード２０３に沿わせて回転ドラム装置２００にＳからＥ２まで角度α２（約１８０度）に亘って斜めに巻き付けて第２のテープパス２２０を形成する。４ミリテープ１４及び８ミリテープ２４の回転ドラム装置２００への巻き付け開始位置Ｓは同じである。
【００１０】
図１３（Ａ）は、回転ドラム装置２００に巻き付けてある４ミリテープ１４と回転ドラム装置２００に巻き付けてある８ミリテープ２４とを重ねて示す。４ミリテープ１４及び８ミリテープ２４は、共に、下側縁１４ａ、２４ａがリード２０３に当たって案内されており、下側縁１４ａ、２４ａは同じ位置に位置している。
【００１１】
４ミリテープ１４が回転ドラム装置２００の周面を矢印２１１で示す方向に走行している場合には、図１３（Ｂ）に示すように、回転ヘッドが４ミリテープ１４を矢印２２０で示すように走査し、トラック２３０が４ミリテープ１４の長手方向軸線に対して角度θで密接して形成されて、ここに情報が記録される。本明細書では、上記の角度θをトラック傾斜角という。図１３（Ｂ）、（Ｃ）は４ミリテープ１４及び８ミリテープ２４をその磁性膜面とは反対側の面から見て示す。４ミリテープ１４が走行しているため、厳密には、トラック２３０の傾斜角θは前記リード２０３のリード角θとは相違するけれども、その差は極く僅かであり、本明細書では説明の便宜上、トラック２３０のトラック傾斜θとリード２０３のリード角θとは等しいとして説明する。
【００１２】
８ミリテープ２４が回転ドラム装置２００の周面を矢印２１１で示す方向に走行している場合には、図１３（Ｃ）に示すように、回転ヘッドが８ミリテープ２４を矢印２２０で示すように走査し、トラック２３１が８ミリテープ２４の長手方向軸線に対して角度θで密接して形成されて、ここに情報が記録される。
【００１３】
なお、記憶容量を多くする関係で、テープに形成される記録トラックは幅が狭く設定されており、読み取り時における回転ヘッドの軌跡がテープ上の記録トラックに対して許容されるずれの程度は小さくなっている。
【特許文献１】特開２００６−１０７５４０号公報
【発明の開示】
【発明が解決しようとする課題】
【００１４】
本発明者は、上記のストリーマ装置の動作を研究した結果、４ミリテープ１４が回転ドラム装置２００の周面を矢印２１０で示す方向に走行しているときの、下側縁１４ａのリード２０３への当たり具合と、８ミリテープ２４が回転ドラム装置２００の周面を矢印２１０で示す方向に走行しているときの、下側縁２４ａのリード２０３への当たり具合とは同じでは無く、差異があることが分かった。
【００１５】
図１３（Ａ）に示すように、４ミリテープ１４が回転ドラム２０２に接触する部分２４０の面積はＳ４である。８ミリテープ２４が回転ドラム２０２に接触する部分２４１の面積はＳ８である。面積Ｓ８と面積Ｓ４とは等しくはなく、面積Ｓ８は面積Ｓ４よりも広く、Ｓ８＞Ｓ４の関係にある。
【００１６】
４ミリテープ１４及び８ミリテープ２４は共に回転ドラム装置２００への巻き付きを開始する側において、回転ドラム２０２に接触していることによって、回転ドラム２０２の回転方向との関係で、回転ドラム装置２００への巻き付き開始側が上方向に変位して起き上げる方向の力ＦＺ１を作用される。
【００１７】
ここで、この起き上げる方向の力ＦＺ１は、Ｓ８＞Ｓ４の関係から、８ミリテープ２４のほうが４ミリテープ１４に比較して大きい。
【００１８】
このため、８ミリテープ２４が回転ドラム装置２００に巻き付いている範囲のうち回転ドラム装置２００への巻き付き開始側が二点鎖線で示すように起こされて、トラックは図１３（Ｄ）に符号２３１ａで示すように形成されてしまう傾向がある。２３１は本来形成されるべきトラックである。トラック２３１ａは本来形成されるべきトラック２３１より少し大きいトラック傾斜角θ１で形成されてしまう傾向があった。θ１＞θとなる。
【００１９】
この角度のずれの程度によっては、別のストリーマ装置で正常に記録された８ミリテープをこのストリーマ装置で再生した場合にエラーが発生する確率が高くなってしまう。
【００２０】
そこで、本発明は、上記課題を解決した磁気テープ記録再生装置を提供することを目的とする。
【課題を解決するための手段】
【００２１】
そこで、上記課題を解決するため、本発明は、第１の磁気テープ（１４）が収納してある第１のテープカセット（１０）と前記第１の磁気テープより幅の広い第２の磁気テープ（２４）が収納してある第２のテープカセットとが選択的に装着されるように構成してあり、
下側の固定ドラム（４１、４１Ａ）と上側の回転ドラム（４２，４２Ａ）とよりなり、該固定ドラムは周面にリードが形成してある構成であり、該回転ドラムは回転ヘッドを有する構成である回転ドラム装置（４０，４０Ａ）を備え、
前記第１のテープカセットが装着された場合には、前記第１のテープカセットから第１の磁気テープを引き出して上記回転ドラム装置に第１の巻き付け角度（α１）に亘って巻き付けて第１のテープパスを形成し、前記第２のテープカセットが装着された場合には、前記第２のテープカセットから第２の磁気テープを引き出して上記回転ドラム装置に前記第１の巻き付け角度より広い第２の巻き付け角度（α２）に亘って巻き付けて第２のテープパスを形成するローデング機構を備えた構成の磁気テープ記録再生装置において、
前記回転ドラム装置は、前記固定ドラムの周面のリード（４３，４３Ａ）が、前記第１の巻き付け角度に対応する部分に位置する第１のリード部（４３ａ，４３Ａａ）と、該第１のリード部に続いて前記第２の巻き付け角度のうち前記第１の巻き付け角度を越える部分に形成してある第２のリード部（４３ｂ，４３Ａｂ）とよりなり、
該第２のリード部のリード角（β、ε）が、該第１のリード部のリード角（θ）と相違する構成としたことを特徴とする。
【００２２】
なお、上記参照符号は、あくまでも参考であり、これによって、本願発明が図示の態様に限定されるものではない。
【発明の効果】
【００２３】
本発明によれば、第２の磁気テープを回転ドラム装置の周面へ巻き付けたときの回転ヘッドの回転面（回転ドラム装置の中心線に対して垂直な面）に対する角度を、第１の磁気テープを回転ドラム装置の周面へ巻き付けたときの角度と僅かに異なる角度となる。
【００２４】
第２の磁気テープを回転ドラム装置の周面へ巻き付けたときの回転ドラム装置の周面のパスは、回転ドラムが回転し、テープ状記録媒体が走行して、記録再生を行うときに、僅かに変化する。前記の僅かに異なる角度が、上記のテープ状記録媒体の回転ドラム装置の周面のパスの僅かな変化に対応する角度であることによって、幅広の第２の磁気テープに対するトラックを従来に比較して精度良く形成することが出来、磁気テープ記録再生装置間のコンパチビリティを改善することが出来る。
【発明を実施するための最良の形態】
【００２５】
次に本発明の実施の形態について説明する。
【実施例１】
【００２６】
図２は本発明の実施例１になるストリーマ装置３０を示す。Ｘ１−Ｘ２は幅方向、Ｙ１−Ｙ２は奥行き方向、Ｚ１−Ｚ２は高さ方向である。
【００２７】
このストリーマ装置３０は、テープカセット装着機構３１と、回転ドラム装置４０と、テープローディング機構５０とを備えた構成である。
【００２８】
テープカセット装着機構３１は、４ミリテープ１４が収納してある４ミリテープカセット１０と、８ミリテープ２４が収納してある８ミリテープカセット２０とを、選択的に装着する。
【００２９】
回転ドラム装置４０は、図１（Ａ）に示すように、下側の固定ドラム４１と上側の回転ドラム４２とよりなり、固定ドラム４１は周面にリード４３が形成してあり、回転ドラム４２は回転ヘッド（図示せず）を有する。回転ドラム４２の回転方向は、矢印２０５で示す方向、即ち、上方向から見て反時計方向である。
【００３０】
リード４３は、１８０度以上に亘っており、展開して示す図１（Ｂ）に示すように、テープの走行方向上、上流側の約９０度に亘る部分に対応する第１のリード部４３ａと、第１のリード部４３ａの終端４３ａ１より延びている第２の第２のリード部４３ｂとよりなる。第１のリード部４３ａは後述する巻き付け角度α１に対応する部分に形成してあり、第２のリード部４３ｂは後述する巻き付け角度α２うち上記の巻き付け角度α１を越える部分に形成してある。
【００３１】
第１のリード部４３ａの回転ドラム装置４０の軸に対して垂直の面（即ち、回転ヘッドの回転面）対する傾斜角度は、前記のトラック２３０，２３１の傾斜角θに対応する角度θである。第２のリード部４３ｂの上記の面に対する傾斜角度は上記の角度θより少し小さい角度βである。β＜θである。リード４３は、リード４３の両端を結ぶ二点鎖線で示す幾何学的な螺旋の線４４に対して中央部がＺ２方向に凹んでいる形状である。凹んでいる寸法ａ１は、僅かであり、例えば０．５〜３．０μｍである。
【００３２】
第１のリード部４３ａが４ミリテープ１４の下側縁１４ａを案内する（図４参照）。第１のリード部４３ａの開始部４３ａ２と、第２のリード部４３ｂの終端部４３ｂ１とが、８ミリテープ２４の下側縁２４ａを案内する（図６参照）。開始部４３ａ１と終端部４３ｂ１とは、回転ドラム装置４０の周方向上、約１８０度離間している。４４は第１のリード部４３ａの開始部４３ａ２と第２のリード部４３ｂの終端部４３ｂ１とを通る線である。線４４の回転ヘッドの回転面対する傾斜角度γは上記の角度θより僅かに小さい角度であり、γ＜θである。
【００３３】
［４ミリテープカセット１０が装着された場合］
４ミリテープカセット１０が装着された場合には、テープローディング機構５０は、図３に示すように、４ミリテープカセット１０から４ミリテープ１４を引き出して、ポール５１とポール５２との間で４ミリテープ１４を回転ドラム装置４０に角度約９０度に亘って斜めに巻き付けて第１のテープパス６１を形成する。また、４ミリテープ１４は、キャプスタン７０とピンチローラ７１とによって駆動されて矢印２１１の方向に走行される。また、回転ドラム４２が回転して、回転ヘッドが４ミリテープ１４を走査してトラックが形成されて、ここに情報が記録される。
【００３４】
図４（Ａ）、（Ｂ）、（Ｃ）は４ミリテープ１４が回転ドラム装置４０に巻き付けられた状態を示す。４ミリテープ１４は、回転ドラム装置４０への入口側のポール５１と回転ドラム装置４０の出口側のポール５２との間で、回転ドラム装置４０にＳからＥ１まで角度α１（約９０度）に亘って斜めに巻き付けてあり、下側縁１４ａが第１のリード部４３ａ当たっている。
【００３５】
回転ドラム装置４０の周面では、４ミリテープ１４は下側縁１４ａを第１のリード部４３ａによって案内されつつ矢印２１１の方向に走行され、回転している回転ヘッドが４ミリテープ１４を、図７（Ａ）に示すように矢印２２０の方向に走査し、トラック２３０がトラック傾斜角θで密接して形成されて、ここに情報が記録される。図７（Ａ）、（Ｂ）は４ミリテープ１４及び８ミリテープ２４をその磁性膜面とは反対側の面から見て示す。
【００３６】
［８ミリテープカセット２０が装着された場合］
８ミリテープカセット２０が装着された場合には、テープローディング機構５０は、図５に示すように、８ミリテープカセット２０から８ミリテープ２４を引き出して、ポール５１とポール５３との間で８ミリテープ２４を回転ドラム装置４０に角度約１８０度に亘って斜めに巻き付けて第２のテープパス６２を形成する。また、８ミリテープ２４は、別のポール５４によって案内された後に、キャプスタン７０の位置に至り、キャプスタン７０とピンチローラ７１とによって駆動されて矢印２１１の方向に走行される。また、回転ドラム４２が回転して、回転ヘッドが８ミリテープ２４を走査してトラックが形成されて、ここに情報が記録される。
【００３７】
図６（Ａ）、（Ｂ）、（Ｃ）は８ミリテープ２４が回転ドラム装置４０に巻き付けられた状態を示す。８ミリテープ２４は、回転ドラム装置４０への入口側のポール５１と回転ドラム装置４０の出口側のポール５３との間で、回転ドラム装置４０にＳからＥ２まで角度α２（約１８０度）に亘って斜めに巻き付けてあり、下側縁２４ａが第１のリード部４３ａの開始部４３ａ２と第２のリード部４３ｂの終端部４３ｂ１とに当たっている。８ミリテープ２４が回転ドラム装置４０に巻き付きを開始する位置Ｓは、４ミリテープ１４の場合と同じである。第１のリード部４３ａの開始部４３ａ２は位置Ｓの位置に存在し、第２のリード部４３ｂの終端部４３ｂ１は位置Ｅ２の位置に存在し、回転ドラム装置４０の周方向上、約１８０度離れている。８ミリテープ２４はその長手方向上離れた二箇所を案内されている。この８ミリテープ２４の中心線の回転ヘッドの回転面対する傾斜角度はγである。
【００３８】
ここで、８ミリテープ２４が回転ドラム２０２に接触する部分の面積が広いこと等が原因で、回転ドラム装置４０の回転ドラム４２が上方向から見て反時計方向に高速で回転することによって、８ミリテープ２４には回転ドラム装置２００への巻き付き開始側が上方向に変位して起き上げる方向の力ＦＺ１が作用され、８ミリテープ２４は、図６（Ｄ）に示すように、第１のリード部４３ａの開始部４３ａ２から僅かの寸法ｂ浮き上がって、第２のリード部４３ｂの終端部４３ｂ１だけによって案内される状態となる。８ミリテープ２４の中心線の回転ヘッドの回転面対する傾斜角度はγより若干増えて、角度θとなる。
【００３９】
回転ドラム装置４０の周面では、８ミリテープ２４は下側縁２４ａを第２のリード部４３ｂの終端部４３ｂ１によって案内されつつ矢印２１１の方向に走行され、回転している回転ヘッドが８ミリテープ２４を、図７（Ｂ）に示すように矢印２２０の方向に走査し、トラック２３１が８ミリテープ２４に密接して形成されて、ここに情報が記録される。トラック２３１のトラック傾斜角はθである。
【００４０】
よって、８ミリテープ２４へのトラックフォーマットの形成は、精度良く行われる。
【００４１】
また、回転ヘッドは回転ドラム装置４０の周面を走行している８ミリテープ２４をその長手方向軸線に対する角度がθとなるように走査するため、このストリーマ装置は、別のストリーマ装置で正常に記録された８ミリテープを正常に再生することが出来、エラーが発生する確率は従来に比較して低い。
【実施例２】
【００４２】
図８は本発明の実施例２になるストリーマ装置に適用される回転ドラム装置４０Ａを示す。回転ドラム装置４０Ａは、図８（Ａ）に示すように、下側の固定ドラム４１Ａと上側の回転ドラム４２Ａとよりなり、固定ドラム４１Ａは周面にリード４３Ａが形成してあり、回転ドラム４２は回転ヘッド（図示せず）を有する。回転ドラム４２Ａの回転方向は、矢印２０５で示す方向、即ち、上方向から見て反時計方向である。
【００４３】
リード４３Ａは、１８０度以上に亘っており、展開して示す図８（Ｂ）に示すように、テープの走行方向上、上流側の約９０度に亘る部分に対応する第１のリード部４３Ａａと、第１のリード部４３Ａａの終端４３Ａａ１より延びて約９０度に亘る部分にいる第１の第２のリード部４３Ａｂとよりなる。第１のリード部４３Ａａは巻き付け角度α１に対応する部分に形成してあり、第２のリード部４３Ａｂは巻き付け角度α２うち上記の巻き付け角度α１を越える部分に形成してある。
【００４４】
第１のリード部４３Ａａの回転ドラム装置４０の軸に対して垂直の面（回転ヘッドの回転面）対する傾斜角度は、前記のトラック２３０，２３１の傾斜角θに対応する角度θである。第１の第１のリード部４３Ａａの上記の面に対する傾斜角度は上記の角度θより少し大きい角度εである。ε＞θである。リード４３Ａは、リード４３Ａの両端を結ぶ二点鎖線で示す幾何学的な螺旋の線４４Ａに対して中央部がＺ１方向に膨らんでいる形状である。膨らんでいる寸法ａ２は、僅かであり、例えば０．５〜３μｍである。
【００４５】
第１のリード部４３Ａａが４ミリテープ１４の下側縁１４ａを案内する（図９参照）。第１のリード部４３Ａａ或いは第２のリード部４３Ａｂが、８ミリテープ２４の下側縁２４ａを案内する（図１０参照）。
【００４６】
例えば、上側の回転ドラムに掘り込まれる空気抜き用の加工溝の設定条件により、４ミリテープ１４に作用するＺ１方向の力ＦＺ１の方が８ミリテープ２４に作用するＺ１方向の力ＦＺ１よりも大きくなること（前記の状態とは逆の状態）がある。上記のリード４３Ａは、このストリーマ装置に適応したものである。
【００４７】
［４ミリテープカセット１０が装着された場合］
図９（Ａ）、（Ｂ）に示すように、４ミリテープ１４は、ポール５１とポール５２との間で、回転ドラム装置４０ＡにＳからＥ１まで角度α１（約９０度）に亘って斜めに巻き付けられて第１のテープパス６１Ａを形成する。４ミリテープ１４の下側縁１４ａは第１のリード部４３Ａａに当たっている。
【００４８】
４ミリテープ１４は、回転ドラム装置４０Ａへの巻き付け開始側の箇所において、下側縁１４ａが第１のリード部４３Ａａより若干浮く状態とされ、残りの部分では下側縁１４ａを第１のリード部４３Ａａによって案内されつつ矢印２１１の方向に走行され、回転している回転ヘッドが４ミリテープ１４を、図７（Ａ）に示すように矢印２２０の方向に走査し、トラック２３０が形成され、ここに情報が記録される。
【００４９】
［８ミリテープカセット２０が装着された場合］
図１０（Ａ）、（Ｂ）、（Ｃ）に示すように、８ミリテープ２４は、ポール５１とポール５３との間で、回転ドラム装置４０ＡにＳからＥ２まで角度α２（約１８０度）に亘って斜めに巻き付けられて第２のテープパス６２Ａを形成する。８ミリテープ２４の下側縁２４ａは第２のリード部４３Ａｂ当たっている。この８ミリテープ２４の中心線の回転ヘッドの回転面対する傾斜角度はεである。
【００５０】
図１０の（Ｃ）、（Ｄ）の様に、第１のリード部４３Ａａと第２のリード部４３Ａｂとのうちのどちらにテープ下側縁１４ａを沿わせるかはポスト５１とポスト５３の高さの調整により行われる。
【００５１】
よって、８ミリテープ２４へのトラックフォーマットの形成は、精度良く行われる。
【００５２】
また、回転ヘッドは回転ドラム装置４０の周面を走行している８ミリテープ２４をその長手方向軸線に対する角度がθとなるように走査するため、このストリーマ装置は、別のストリーマ装置で正常に記録された８ミリテープを正常に再生することが出来、エラーが発生する確率は従来に比較して低い。
【００５３】
なお、本発明はストリーマ装置以外の磁気テープを使用した記録再生装置にも適用可能である。
【００５４】
以上、本発明の好ましい実施の形態について詳述したが、本発明はかかる特定の実施の形態に限定されるものではなく、特許請求の範囲内に記載された本発明の要旨の範囲内において、種々の変形・変更が可能である。
【図面の簡単な説明】
【００５５】
【図１】本発明の実施例１になるストリーマ装置に組み込んである回転ドラム装置を示す図である。
【図２】本発明の実施例１になるストリーマ装置をカセットと併せて示す斜視図である。
【図３】４ミリテープのテープローディング完了状態を示す図である。
【図４】４ミリテープの回転ドラム装置への巻き付き状態及びリード部による案内状態を示す図である。
【図５】８ミリテープのテープローディング完了状態を示す図である。
【図６】８ミリテープの回転ドラム装置への巻き付き状態及びリード部による案内状態を示す図である。
【図７】４ミリテープ及び８ミリテープに形成されたトラックパターンを示す図である。
【図８】本発明の実施例２になるストリーマ装置に組み込んである回転ドラム装置を示す図である。
【図９】４ミリテープの回転ドラム装置への巻き付き状態及びリード部による案内状態を示す図である。
【図１０】８ミリテープの回転ドラム装置への巻き付き状態及びリード部による案内状態を示す図である。
【図１１】従来のストリーマ装置に組み込んである回転ドラム装置及びこれに対する４ミリテープの回転ドラム装置への巻き付き状態を示す図である。
【図１２】図１１の回転ドラム装置に対する８ミリテープの巻き付き状態を示す図である。
【図１３】４ミリテープ及び８ミリテープに形成されたトラックパターン及び８ミリテープのトラックパターンのずれを説明する図である。
【符号の説明】
【００５６】
１０  ４ｍｍテープカセット
１４  ４ｍｍテープ
２０  ８ｍｍテープカセット
２４  ８ｍｍテープ
３０  ストリーマ装置
３１  テープカセット装着機構
４０，４０Ａ  回転ドラム装置
４１、４１Ａ  固定ドラム
４２，４２Ａ  回転ドラム
４３，４３Ａ  リード
４３ａ，４３ｂ，４３Ａａ，４３Ａｂ  リード部
４３ａ２、４３ｂ１  端部
５０  テープローディング機構
５１，５２，５３  ポール
７０  キャプスタン
７１  ピンチローラ
【図１】
2007323722.tif 000003
【図２】
2007323722.tif 000004
【図３】
2007323722.tif 000005
【図４】
2007323722.tif 000006
【図５】
2007323722.tif 000007
【図６】
2007323722.tif 000008
【図７】
2007323722.tif 000009
【図８】
2007323722.tif 000010
【図９】
2007323722.tif 000011
【図１０】
2007323722.tif 000012
【図１１】
2007323722.tif 000013
【図１２】
2007323722.tif 000014
【図１３】
2007323722.tif 000015